(57)【要約】【課題】情報記録媒体から情報を読み取る光ピックアップにおいて、不要な反射光の受光を防止するため反射防止コーティング等を施した遮光マスクを備える必要がある。このため光ピックアップ製造時の組み立て工数が多くなっていた。【解決手段】対物レンズ３とホログラム素子１ａとの間にパターンニングされた光吸収薄膜２を設けている。情報記録媒体４から正常に読み出された光５は光吸収膜２を透過し、ディスク上の傷等により正常に読み出されたものではない光１０は光吸収膜１０に吸収される。ホログラム作成後に一度に多量の製膜が行えるため、組み立て工数を削減することができ、安価で高性能な光ピックアップを提供できる。【選択図】図１
2007133924.tif 000002
【特許請求の範囲】
【請求項１】
光源と、情報記録媒体からの反射光を検出する光検出器と、前記反射光を前記光検出器に導くホログラム素子とを備えた受発光一体素子と、
前記受発光一体素子に形成され、所定の領域に反射された前記反射光のみを通過または透過させ、他の領域に反射された反射光を吸収するようパターンニングされた光吸収薄膜とを備えた光ピックアップ。
【請求項２】
前記光吸収薄膜は、ドライプロセスもしくはウェットプロセスにより前記受発光一体素子上に直接形成されている請求項１記載の光ピックアップ。
【請求項３】
前記光吸収薄膜は、成膜時にマスクによりパターニングされている請求項１記載の光ピックアップ。
【請求項４】
前記光吸収薄膜は、成膜後に光パターニングされる請求項１記載の光ピックアップ。
【請求項５】
前記光吸収薄膜は、少なくとも二種類以上の材料を、積層もしくは混合させて堆積させる請求項１記載の光ピックアップ。
【請求項６】
前記光源は複数種類の波長の光源を有する請求項１記載の光ピックアップ。
【発明の詳細な説明】
【技術分野】
【０００１】
本発明は、情報記録媒体にレーザー光などの光ビームを照射して情報記録媒体の信号面の記録再生を行う光学式ディスク記録再生装置に用いる光ピックアップに関するものである。
【背景技術】
【０００２】
光ピックアップにおいて、情報記録媒体の信号面からの反射光以外の不要な光を遮光する技術に関して、従来、多くの報告がなされている。
【０００３】
以下、図面を参照に従来の光ピックアップの構成について説明する。
【０００４】
図４は特許文献１に記載の従来の光ピックアップを説明するための概略図である。図４において、１０１はホログラム素子１０１ａ、光検出器１０１ｃ、光源１０１ｄが一体化された受発光一体素子、１０３は対物レンズ、１０４は情報記録媒体、１０７は受発光一体素子などを固定する光学ベース、１０８は遮光マスクである。
【０００５】
このように構成された光ピックアップの動作について説明する。受発光一体素子１０１の光源１０１ｄより出射された光は情報記録媒体１０４の記録再生に使用する光以外の不要な光を遮断する遮光マスク１０８の開口部１０８ａを通過後、対物レンズ１０３によって記録情報媒体１０４の信号面に集光される。この情報記録媒体１０４の信号面で反射され光は再び対物レンズ１０３、遮光マスクの開口部１０８ａを通り、ホログラム素子１０１ａのホログラム領域１０１ｂによって回折され、光検出器１０１ｃに集光される。光検出器１０１ｃでは情報記録媒体１０４の再生信号、及び対物レンズ１０３の位置を制御するためのフォーカスエラー信号、トラッキングエラー信号を出力する。
【０００６】
遮光マスク１０８は、その開口部１０８ａが可能な限り小さくなるように構成されている。情報記録媒体１０４の再生信号、フォーカスエラー、トラッキングエラーを生成するに必要な光束１０５のみを透過させ、それ以外の光、すなわち光学ベース１０７、対物レンズ１０３からの反射光や情報記録媒体１０４の再生情報以外の不要な光等が受発光一体素子１０１の光検出器１０１ｃに戻らないようにするためである。
【０００７】
図５は特許文献２に記載の従来の光ピックを説明するための概略図である。
【０００８】
図５において、２０１はホログラム素子２０１ａ、光検出器２０１ｃ、光源２０１ｄが一体化された受発光一体素子、２０３は対物レンズ、２０４は情報記録媒体、２０５は受発光一体素子などを固定する光学ベース（図示せず）、２０９は遮光マスクである。
【０００９】
受発光一体素子２０１の光源２０１ｄから出力された光が、光検出器２０１ｃに戻るまでの流れは図４説明したのと同じであるので、省略する。
【００１０】
遮光マスク２０９はホログラム素子２０１ａを覆う用に取り付けられ、光検出器２０１ｃ、光源２０１ｄの搭載された面を除く５面方向からの不要な光を遮断する。遮光マスク２０９はホログラム素子２０１ａに直接取り付けるため、図４の場合に比べ、ホログラム素子２０１ａとの位置精度が高く、記録情報媒体２０４の再生するための光を損失することなく、開口部２０９ａを小さくすることができ、光学ベース２０７（図示せず）、対物レンズ２０３からの反射光や情報記録媒体２０４の再生信号以外の光が受発光一体素子２０１の光検出器２０１ｃに戻らないよう構成することができる。
【特許文献１】特開平１１−２５４９６号公報
【特許文献２】特開２００１−１１００８５号公報
【発明の開示】
【発明が解決しようとする課題】
【００１１】
前述のように特許文献１の構成では、光学ベース１０３や情報記録媒体１０４などからの不要な光が光検出器１０１ｃに戻らないように、遮光マスク１０８によって遮光している。この遮光マスク１０８により光源１０１ｄより出射された光のうち、情報記録媒体１０４を再生するのに必要な光束１０５以外の光も遮光され、受発光素子１０１内に反射した光１１０が、光検出器１０１ｃに戻ってしまう。この光検出器１０１ｃに戻る光を抑えるため、遮光マスク１０８の表面に反射防止のコーティングなどを設け、次に遮光マスクの位置決めを行う必要がある。
【００１２】
また特許文献２の構成では遮光マスク２０９はホログラム素子２０１ａに取り付けるため、特許文献１の構成よりも開口部２０９ａを光束２０５の有効領域の広さにまで近付け、縮小することができる。しかしそのため、特許文献１の場合よりも光検出器２０１ｃに戻ってくる情報記録媒体２０４からの不要な光は多くなってしまう。特許文献１と同様に遮光マスク２０９から光検出器２０１ｃに戻る光を削減するために遮光マスク２０９の内側の５面に反射防止コーティングなどを施す必要があり、組立て工数が増加する。
【課題を解決するための手段】
【００１３】
本発明は、このような従来の課題を解決するために、情報記録媒体の信号以外の不要な光がホログラム素子のホログラム領域以外の領域から光検出器に戻ることを防ぐため、ホログラム表面にパターニングされた光吸収薄膜を備える構成とした。遮光板使用による部品点数の増加を抑え、同時に遮光板に見られたような遮光板による反射の迷光対策の機能も併せ持つものである。
【発明の効果】
【００１４】
本発明の光ピックアップによれば、情報記録媒体を再生するのに必要な光を光検出器に受光しつつ、不要な光が光検出器に戻ることを抑えることができる。また反射防止用コーティングを施さずに不要な戻り光を抑えることができるので、ホログラム作製後に一度に多量の製膜が行え、組立て工数が削減でき、安価で高性能な光ピックアップを提供することができる。
【発明を実施するための最良の形態】
【００１５】
以下、本発明の実施の形態について、図１から図３を参照しながら説明する。
【００１６】
（実施の形態）
図１は、本発明の実施の形態１における光ピックアップの概略図を示す。図１において、１はホログラム素子１ａ、光検出器１ｃ、光源１ｄが一体化された受発光一体素子、３は対物レンズ、４は情報記録媒体、２は光吸収薄膜である。
【００１７】
図２、図３を用いて、遮光板２の組立法について説明する。
【００１８】
図２は光吸収薄膜、ホログラム素子、ホログラム素子以外の受発光一体素子の分解斜視図、図３は光吸収薄膜２を受発光一体素子１に製膜した後の斜視図を示す。
図２において、受発光一体素子１のホログラム素子１ａには製膜時に必要なマスク位置決め用リブ１ｆが四方に設けられており、この位置決め用リブ１ｆにより光吸収薄膜２をホログラム素子１ａと高い位置精度で配置することができる。
【００１９】
次に、図１、図２を用いて、動作原理について、詳細に説明する。図２は受発光一体素子のホログラム素子１ａ、光吸収薄膜２を分解した斜視図を示す。
【００２０】
図２において、光源１ｄから出射された光はグレーティング領域１ｅで透過する光に加えトラッキングエラーを生成するための２個の回折光を生成する。なお、グレーティング領域１ｅでは２個以上回折光を生成するが、有効光束外の光となるため無視できる。ここではグレーティング領域１ｅ上の透過光と２個の回折光をグレーティング領域１ｅ面上に図示する。この透過光と２個の回折光はホログラム素子１ａを透過し、図１の光束５に対し、十分大きな光吸収薄膜２の開口部２ａを通る。この光束５は対物レンズ３により、情報記録媒体４に集光される。
【００２１】
このとき、グレーティング領域１ｅで透過した光はフォーカスエラー生成用、及び情報記録媒体の再生信号用として使用され、グレーティング領域１ｅで回折した２個の光はトラッキングエラー生成用として使用される。この反射光が再び、対物レンズ３を通り（図２では図示せず、図１参照）、光吸収薄膜２の開口部２ａを経て、ホログラム素子１ａのホログラム領域１ｂで、光検出器1ｃに戻るように回折される。このうち、グレーティング領域１ｅを透過した光は、フォーカスエラー用光検出器１ｃｆに、グレーティング領域１ｅにて回折された光はトラッキングエラー用光検出器１ｃｔに導かれる。
【００２２】
次に、情報記録媒体４の信号情報以外の不要な光が戻る経路について図１を用いて説明する。情報記録媒体４の表面に傷４ａがある時、対物レンズ３にて集光する光の一部がこの情報記録媒体の表面の傷４ａで回折、散乱し、その一部が不要な光１０となり、受発光一体素子1の光検出器１ｃに向かって戻ってくる。この不要な光１０が光検出器１ｃに戻るのは光束５を光検出器１ｃに導くホログラム領域１ｂ以外の周囲からのによるものが殆どである。したがって、光検出器１ｃに不要な光１０が戻らないよう、遮光部２ｂは光の進行方向に沿って略々、光検出器１ｃをホログラム素子１ａのホログラム領域１ｂ上に投影した部分のみに設ければよい。更にこのうち、トラッキングエラー用光検出器１ｃｔに戻る不要な光が情報記録媒体４を再生、記録する際に影響が大きいため、遮光部２ｂはトラッキングエラー用光検出器１ｃｔを略々、ホログラム素子１ａのホログラム領域１ｂ上に投影した部分のみに設ければ十分である。
【００２３】
ここで、図５のグレーティング領域１ｅで回折されたトラッキングエラー生成用の光はグレーティング領域１ｅで回折させるため、光検出器１ｃ上での位置精度が回折角度などの精度悪化分だけフォーカスエラー生成用の透過光より悪くなる。そのため、トラッキングエラー用光検出器１ｃｔがフォーカスエラー用光検出器１ｃｆの面積よりも大きくする必要がある。このため、トラッキングエラー用光検出器１ｃｔにはフォーカスエラー用光検出器１ｃｆに比べて再生に必要な光以外の不要な光が多く戻ってきてしまい、光情報媒体４の再生性能への影響が大きくなってしまう。また、図５のグレーティング領域１ｅで回折されたトラッキングエラー生成用の光はグレーティング領域１ｅで透過した光（フォーカスエラー生成用・かつ情報記録媒体の再生信号用として使用する光）の損失を抑えるために透過した光にくらべ、信号光量が小さくなるよう設定されているため、情報記録媒体４の再生信号以外の不要な光による影響が大きくなってしまう。
【００２４】
このように、光吸収薄膜２の遮光部２ｂがトラッキングエラー用光検出器１ｃｔを略々、ホログラム素子１ａのホログラム領域１ｂ上に投影した部分のみに設けることにより、情報記録媒体４の再生信号以外の不要な光が光検出器１ｃに戻ることを抑制することができる。
【００２５】
ここで光吸収薄膜２は必要部分の光のみを通過または透過させ、不要な反射光や入社光を吸収するようにパターンニングされている。またこのような光吸収薄膜２は、ドライプロセス若しくはウェットプロセスにより、受発光一体素子上に直接形成されてもよい。また製膜時にマスクによりパターンニングされてもよい。また製膜後に光パターニングしてもよい。また少なくとも２種類以上の材料を積層若しくは混合させて堆積させてもよい。また光吸収薄膜の材料が１種類の場合は、単層で堆積させてもよい。また異なる波長の光源に対して、必要光のみを通過あるいは透過させ、不要光を吸収する構成としてもよい。
【００２６】
このように光吸収薄膜を設けることで、従来に比べ再生性能を劣化させることなく、これまで必要であった遮光板と遮光板の反射防止用コーティングを施さずに不要な戻り光を抑えることができる。また、ホログラム作製後に一度に多量の製膜が行え、組立て工数が削減でき、安価で高性能な光ピックアップを提供することができる。
【産業上の利用可能性】
【００２７】
以上のように、本発明にかかる光ピックアップは情報記録媒体にレーザー光などの光ビームを照射して情報記録媒体の記録再生を行う光学式ディスク記録再生装置に用いる光ピックアップに適用できる。
【図面の簡単な説明】
【００２８】
【図１】本発明の第１の実施の形態の光ピックアップの概略図
【図２】本発明の第１の実施の形態の光吸収薄膜、ホログラム素子、ホログラム素子以外の受発光一体素子の分解斜視図
【図３】本発明の第１の実施の形態の光吸収薄膜を受発光一体素子に組立てた後の斜視図
【図４】特許文献１に記載の従来の光ピックアップの概略図
【図５】特許文献２に記載の従来の光ピックアップの概略図
【符号の説明】
【００２９】
１    受発光一体素子
１ａ    ホログラム素子
１ｂ    ホログラム領域
１ｃ    光検出器
１ｃｆ    フォーカスエラー用光検出器
１ｃｔ    トラッキングエラー用光検出器
１ｄ    光源
１ｅ    グレーティング領域
１ｆ    位置決め用リブ
２    光吸収薄膜
２ａ    開口部
２ｂ    遮光部
３    対物レンズ
４    情報記録媒体
４ａ    情報記録媒体の表面の傷
５    光束
【図１】
2007133924.tif 000003
【図２】
2007133924.tif 000004
【図３】
2007133924.tif 000005
【図４】
2007133924.tif 000006
【図５】
2007133924.tif 000007